(57)【要約】【課題】商品購入に対する精算処理と現金支払処理や現金預金処理などの現金処理とを１つの貨幣入出金機を用いて行う際、精算処理と現金処理とに対して、実質的に互いに影響を及ぼさない貨幣入出金装置を提供すること。【解決手段】入出金口ユニット５と、入出金口ユニット５での貨幣入出金に関する情報の入出力を行う入出力部７と、出金口ユニット６と、出金口ユニットでの貨幣出金に関する情報の入出力を行う入出力部８と、金銭を格納する格納部を有し、搬送路切換部４ｃの搬送路切換によって入出金口ユニット５に対する貨幣入出金処理と出金口ユニット６に対する貨幣入出金処理とを排他的に行う貨幣入出金ユニット４と、入出力部７，８からの情報入力に応じて入出金口ユニット５または出金口ユニット６を介した貨幣入出金処理を制御する入出金制御部１１と、を備える。【選択図】図１
2018010556.tif 000002
【特許請求の範囲】
【請求項１】
第１の貨幣入出金口ユニットと、
前記第１の貨幣入出金口ユニットでの貨幣入出金に関する情報の入出力を行う第１の入出力部と、
第２の貨幣入出金口ユニットと、
前記第２の貨幣入出金口ユニットでの貨幣入出金に関する情報の入出力を行う第２の入出力部と、
金銭を格納する格納部を有し、搬送路切換部の搬送路切換によって前記第１の貨幣入出金口ユニットに対する貨幣入出金処理と前記第２の貨幣入出金口ユニットに対する貨幣入出金処理とを排他的に行う貨幣入出金ユニットと、
前記第１の入出力部または前記第２の入出力部からの情報入力に応じて前記第１の貨幣入出金口ユニットまたは前記第２の貨幣入出金口ユニットを介した貨幣入出金処理を制御する入出金制御部と、
を備えたことを特徴とする貨幣入出金装置。
【請求項２】
前記入出金制御部は、前記第１の貨幣入出金口ユニットに対する貨幣入出金処理の指示と前記第２の貨幣入出金口ユニットに対する貨幣入出金処理の指示が同時に発生した場合、いずれの貨幣入出金処理を優先するかを予め設定した優先情報に従って優先処理することを特徴とする請求項１に記載の貨幣入出金装置。
【請求項３】
前記入出金制御部は、前記優先処理を行った場合、優先されない前記第１の入出力部または前記第２の入出力部から、前記優先処理が終了するまで、貨幣入出金処理が待機状態である旨を案内出力することを特徴とする請求項２に記載の貨幣入出金装置。
【請求項４】
前記第１の貨幣入出金口ユニット、前記第１の入出力部、及び前記入出金制御部は、商品購入時の精算エリアに配置され、
前記第２の貨幣入出金口ユニット、及び前記第２の入出力部は、貨幣の自動預金及び／または自動支払を行う現金エリアに配置されることを特徴とする請求項１〜３のいずれか一つに記載の貨幣入出金装置。
【請求項５】
前記第２の貨幣入出金口ユニットは貨幣出金口のみを有し、
前記貨幣入出金ユニットは、前記第２の貨幣入出金口ユニット側に対しては貨幣の出金機構のみを有することを特徴とする請求項１〜４のいずれか一つに記載の貨幣入出金装置。
【請求項６】
前記第１の入出力部は、釣銭情報を有した釣銭シートを出力し、
前記第２の入出力部は、前記釣銭シートの釣銭情報を読み込み、釣銭に対応する金銭の出金を前記入出金制御部に指示し、前記第２の貨幣入出金口ユニットの貨幣出金口から釣銭を出金させることを特徴とする請求項１〜５のいずれか一つに記載の貨幣入出金装置。
【発明の詳細な説明】
【技術分野】
【０００１】
本発明は、商品購入に対する精算処理と現金支払処理や現金預金処理などの現金処理とを１つの貨幣入出金機を用いて行う際、精算処理と現金処理とに対して、実質的に互いに影響を及ぼさない貨幣入出金装置に関する。
【背景技術】
【０００２】
貨幣入出金装置は、ＰＯＳ（point of sales）レジスタなどに接続されて使用され、硬貨の入出金処理を行う硬貨処理装置と紙幣の入出金処理を行う紙幣処理装置とが一体化されて構成されている。
【０００３】
ここで、特許文献１には、コンビニエンスストア等の小売店又はレストラン等のサービス店の精算所における貨幣入出金システムに関し、特に、硬貨入出金機や紙幣入出金機をＰＯＳレジスタ等のキャッシュレジスタに接続して、釣り銭の投出及び受取金の入金のみならず、預金貨幣の引き出し又は貨幣の貸付による貨幣出金をも行う貨幣入出金システムが記載されている。これにより、店舗内に配設されるＰＯＳレジスタ及び貨幣入出金機を用いたレジ精算機能と、ＣＤ機等の情報端末の機能とを融合して、該情報端末に要する低コスト化と省設置スペース化を図ることができる。
【先行技術文献】
【特許文献】
【０００４】
【特許文献１】特開平１１−２５０３４９号公報
【発明の概要】
【発明が解決しようとする課題】
【０００５】
しかしながら、同じＰＯＳレジスタで精算処理と現金支払処理とを順次、行うようにしているため、現金支払処理の顧客が多いと、商品購入に対する精算処理を行う顧客の処理が遅くなり、精算処理を行う顧客の待ち時間が長くなってしまう。
【０００６】
本発明は、上記に鑑みてなされたものであって、商品購入に対する精算処理と現金支払処理や現金預金処理などの現金処理とを１つの貨幣入出金機を用いて行う際、精算処理と現金処理とに対して、実質的に互いに影響を及ぼさない貨幣入出金装置を提供することを目的とする。
【課題を解決するための手段】
【０００７】
上述した課題を解決し、目的を達成するために、本発明にかかる貨幣入出金装置は、第１の貨幣入出金口ユニットと、前記第１の貨幣入出金口ユニットでの貨幣入出金に関する情報の入出力を行う第１の入出力部と、第２の貨幣入出金口ユニットと、前記第２の貨幣入出金口ユニットでの貨幣入出金に関する情報の入出力を行う第２の入出力部と、金銭を格納する格納部を有し、搬送路切換部の搬送路切換によって前記第１の貨幣入出金口ユニットに対する貨幣入出金処理と前記第２の貨幣入出金口ユニットに対する貨幣入出金処理とを排他的に行う貨幣入出金ユニットと、前記第１の入出力部または前記第２の入出力部からの情報入力に応じて前記第１の貨幣入出金口ユニットまたは前記第２の貨幣入出金口ユニットを介した貨幣入出金処理を制御する入出金制御部と、を備えたことを特徴とする。
【０００８】
また、本発明にかかる貨幣入出金装置は、上記の発明において、前記入出金制御部は、前記第１の貨幣入出金口ユニットに対する貨幣入出金処理の指示と前記第２の貨幣入出金口ユニットに対する貨幣入出金処理の指示が同時に発生した場合、いずれの貨幣入出金処理を優先するかを予め設定した優先情報に従って優先処理することを特徴とする。
【０００９】
また、本発明にかかる貨幣入出金装置は、上記の発明において、前記入出金制御部は、前記優先処理を行った場合、優先されない前記第１の入出力部または前記第２の入出力部から、前記優先処理が終了するまで、貨幣入出金処理が待機状態である旨を案内出力することを特徴とする。
【００１０】
また、本発明にかかる貨幣入出金装置は、上記の発明において、前記第１の貨幣入出金口ユニット、前記第１の入出力部、及び前記入出金制御部は、商品購入時の精算エリアに配置され、前記第２の貨幣入出金口ユニット、及び前記第２の入出力部は、貨幣の自動預金及び／または自動支払を行う現金エリアに配置されることを特徴とする。
【００１１】
また、本発明にかかる貨幣入出金装置は、上記の発明において、前記第２の貨幣入出金口ユニットは貨幣出金口のみを有し、前記貨幣入出金ユニットは、前記第２の貨幣入出金口ユニット側に対しては貨幣の出金機構のみを有することを特徴とする。
【００１２】
また、本発明にかかる貨幣入出金装置は、上記の発明において、前記第１の入出力部は、釣銭情報を有した釣銭シートを出力し、前記第２の入出力部は、前記釣銭シートの釣銭情報を読み込み、釣銭に対応する金銭の出金を前記入出金制御部に指示し、前記第２の貨幣入出金口ユニットの貨幣出金口から釣銭を出金させることを特徴とする。
【発明の効果】
【００１３】
本発明によれば、商品購入に対する精算処理と現金支払処理や現金預金処理などの現金処理とを１つの貨幣入出金機を用いて行っても、実質的に同時に処理を行うことができ、精算処理と現金処理とに対して、実質的に互いに影響を及ぼさない。
【図面の簡単な説明】
【００１４】
【図１】図１は、本発明の実施の形態である貨幣入出金装置の制御系の構成を示すブロック図である。
【図２】図２は、貨幣入出金装置の全体配置を模式的に示した平面図である。
【図３】図３は、紙幣入出金機の内部構成を概念的に示す側面図である。
【図４】図４は、硬貨入出金機の内部構成を模式的に示す平面図である。
【図５】図５は、入出金優先制御部による入出金優先制御処理手順を示すフローチャートである。
【図６】図６は、本発明の実施の形態の変形例である貨幣入出金装置の制御系の構成を示すブロック図である。
【発明を実施するための形態】
【００１５】
以下、添付図面を参照してこの発明を実施するための形態について説明する。
【００１６】
（貨幣入出金装置の全体構造）
図１は、本発明の実施の形態である貨幣入出金装置１の制御系の構成を示すブロック図である。また、図２は、貨幣入出金装置１の全体配置を模式的に示した平面図である。ここで例示する貨幣入出金装置１は、スーパーマーケットやコンビニエンスストア等の店舗内に配置される。
【００１７】
図１に示すように、貨幣入出金装置１は、制御部１０に、貨幣入出金ユニット４、入出力部７，８が接続される。貨幣入出金ユニット４には、入出金口ユニット５及び出金口ユニット６が接続される。貨幣入出金ユニット４は、金銭を格納する図示しない格納部を有し、搬送路切換部４ｃの搬送路切換によって入出金口ユニット５に対する貨幣入出金処理と出金口ユニット６に対する貨幣出金処理とを排他的に行う。入出力部７は、入出金口ユニット５での貨幣入出金に関する情報の入出力を行う。また、入出力部８は、出金口ユニット６での貨幣出金に関する情報の入出力を行う。
【００１８】
制御部１０及び入出力部７は、ＰＯＳレジスタ２を構成する。ＰＯＳレジスタ２、貨幣入出金ユニット４、及び入出金口ユニット５は、商品購入時の精算処理を行う精算エリアＥ１に配置される。図２に示すように、ＰＯＳレジスタ２は、レジカウンタ２７上に配置される。精算エリアＥ１では、入出金口ユニット５を介して、貨幣入出金ユニット４からの釣銭の投出及び貨幣入出金ユニット４への受取金の入金が行われる。
【００１９】
出金口ユニット６及び入出力部８は、現金支払部３を構成する。現金支払部３は、精算エリアＥ１の貨幣入出金ユニット４を共有して現金自動支払機として機能する。図２に示すように、現金支払部３は、現金エリアＥ２に配置される。現金エリアＥ２は、一般的な現金自動支払機と同様に、三方が囲まれたブースを形成している。現金エリアＥ２では、出金口ユニット６を介して、貨幣入出金ユニット４から預金貨幣の引き出しが行われる。
【００２０】
図２に示すように、入出金口ユニット５は、貨幣入出金ユニット４に対してＰＯＳレジスタ２側に配置され、出金口ユニット６は、入出金口ユニット５の反対側の現金エリアＥ２側に配置される。入出金口ユニット５は、紙幣投入口４１、紙幣出金口４２、硬貨投入口５１、硬貨出金口５２を有する。一方、出金口ユニット６は、紙幣出金口４５及び硬貨出金口５５を有する。
【００２１】
制御部１０は、入出金口ユニット５を介した貨幣入出金ユニット４に対する貨幣の入出金制御及び出金口ユニット６を介した貨幣入出金ユニット４からの貨幣の出金制御を行うとともに、入出金情報を管理する入出金制御部１１を有する。また、入出金制御部１１は、入出金優先制御部１２を有する。入出金優先制御部１２は、入出金口ユニット５側に対する貨幣入出金処理と出金口ユニット６側に対する貨幣出金処理とが同時に発生した場合、いずれの貨幣入出金処理を優先するかを、予め設定した優先情報に従って優先処理させる。
【００２２】
入出力部７は、精算エリアＥ１に配置され、商品のバーコード情報を読み取るバーコードリーダー２１、テンキーや特定キーによって実現される入力部２２、液晶ディスプレイなどの表示部２３、顧客側に表示画面を有する顧客用表示部２４、各種カード情報を読み取るカードリーダー２５、及び印刷出力などを行う出力部２６を有する。
【００２３】
一方、入出力部８は、現金エリアＥ２に配置され、タッチパネル３１、カードリーダー３２、及び印刷出力などを行う出力部３３を有する。
【００２４】
なお、制御部１０は、ネットワークＮを介して金融機関である銀行センターサーバ１００に接続可能である。
【００２５】
（貨幣入出金ユニット、入出金口ユニット、出金口ユニットの詳細構成）
入出金口ユニット５は、貨幣入出金ユニット４の精算エリアＥ１側に配置され、出金口ユニット６は、貨幣入出金ユニット４の現金エリアＥ２側に配置される。入出金口ユニット５及び出金口ユニット６は、対向した位置で貨幣入出金ユニット４に対して搬送路が接続される。そして、具体的には、貨幣入出金ユニット４、入出金口ユニット５、出金口ユニット６は一体構成された貨幣入出金機となっている。
【００２６】
図２に示すように、貨幣入出金機は、紙幣入出金機４０と硬貨入出金機５０とが隣接して並列配置される。紙幣入出金機４０は、紙幣入出金ユニット４ａ、紙幣入出金口ユニット５ａ、紙幣出金口ユニット６ａが直線状に配置される。硬貨入出金機５０は、硬貨入出金ユニット４ｂ、硬貨入出金口ユニット５ｂ、硬貨出金口ユニット６ｂが直線状に配置される。
【００２７】
（紙幣入出金機）
図３は、紙幣入出金機４０の内部構成を概念的に示す側面図である。図３に示すように、紙幣入出金機４０は、紙幣入出金ユニット４ａの精算エリアＥ１側に紙幣入出金口ユニット５ａが配置され、紙幣入出金ユニット４ａの現金エリアＥ２側に紙幣出金口ユニット６ａが配置される。紙幣投入口４１及び紙幣出金口４２と、紙幣出金口４５との間には紙幣を搬送する搬送路４３が配置される。この搬送路４３は搬送方向の正逆転が可能である。紙幣入出金口ユニット５ａには紙幣鑑別センサ４４が設けられる。
【００２８】
紙幣入出金ユニット４ａ内には、紙幣収納庫４６が設けられる。紙幣収納庫４６は、精査庫４６ａ、１０００円紙幣収納庫４６ｂ、混合紙幣収納庫（混合庫）４６ｃを有する。精査庫４６ａ、１０００円紙幣収納庫４６ｂ、混合紙幣収納庫（混合庫）４６ｃは、搬送路４３に対してそれぞれ切換ゲートＧ４１，Ｇ４２，Ｇ４３を介して接続される。混合庫４６ｃは、１０００円紙幣以外の紙幣を収納する。例えば、混合庫４６ｃは、１００００円紙幣や５０００円紙幣を混合して収納する。また、精査庫４６ａは、各紙幣収納庫４６ｂ、４６ｃに収納された紙幣を一旦空にして各紙幣収納庫４６ｂ、４６ｃの収納枚数を再計数するための一時収納庫である。なお、１０００円紙幣収納庫４６ｂの紙幣入出金口ユニット５ａ側及び混合庫４６ｃの紙幣出金口ユニット６ａ側の搬送路４３上には、搬送される紙幣の通過を検出する画像センサＳ４１，Ｓ４２が配置されている。
【００２９】
紙幣投入口４１から投入された紙幣は、紙幣鑑別センサ４４によって鑑別された後、金種に応じて１０００円紙幣収納庫４６ｂまたは混合庫４６ｃに収納される。また、出金指示された紙幣は、１０００円紙幣収納庫４６ｂまたは混合庫４６ｃから搬送路４３を介して、紙幣入出金口ユニット５ａの紙幣出金口４２または紙幣出金口ユニット６ａの紙幣出金口４５から出金される。
【００３０】
（硬貨入出金機）
図４は、硬貨入出金機５０の内部構成を模式的に示す平面図である。図４に示すように、硬貨入出金機５０は、硬貨入出金ユニット４ｂの精算エリアＥ１側に硬貨入出金口ユニット５ｂが配置され、硬貨入出金ユニット４ｂの現金エリアＥ２側に硬貨出金口ユニット６ｂが配置される。硬貨入出金口ユニット５ｂには、硬貨投入口５１と硬貨出金口５２とが設けられる。硬貨出金口ユニット６ｂには、硬貨出金口５５が設けられる。硬貨出金口５２，５５の間には、搬送路としての出金搬送部５３が設けられている。この出金搬送部５３は、搬送方向の正逆転が可能である。硬貨入出金ユニット４ｂは金種に応じた紙幣を収納する硬貨収納庫６６を有する。
【００３１】
図４に示すように、硬貨投入口５１に投入された硬貨は、図示せぬ投入検出センサによって検出された後、入金搬送部６２によって搬送される。入金搬送部６２内に設けられた検銭部６３は、硬貨の真贋及び金種を判定する。搬送された硬貨が正貨である場合、一時保留部６４に保留される。一方、搬送された硬貨が正貨でない場合、切換ゲートＧ及び硬貨出金口５２を介して返却される。なお、制御部１０あるいは図示しない返却レバーからの返却指示があった場合、一時保留部６４に保留された硬貨は、切換ゲートＧ５１を介して硬貨返却口６９に返却される。
【００３２】
その後、一時保留部６４は搬送路として機能し、一時保留部６４に保留された硬貨は、切換ゲートＧ５１を介して搬送路である硬貨振分部６５に出力されて搬送される。硬貨振分部６５によって搬送される硬貨は、金種に応じて硬貨収納庫６６に収納されることになる。硬貨収納庫６６として、１円硬貨収納庫６６ａ、５０円硬貨収納庫６６ｂ、５円硬貨収納庫６６ｃ、１００円硬貨収納庫６６ｄ、１０円硬貨収納庫６６ｅ、５００円硬貨収納庫６６ｆの６つが設けてある。そして、各硬貨収納庫６６は、投入された硬貨を金種ごとに個別に収納するようにしている。
【００３３】
各硬貨収納庫６６に収納された硬貨は、出金指示に従って、出金搬送部５３を介して硬貨出金口５２または硬貨出金口５５に出金される。
【００３４】
（精算処理）
ここで、図２において、精算エリアＥ１で精算処理を行う場合、店員Ａは、顧客Ｂが購入する商品の金額をバーコードリーダー２１で読み取ったり、入力部２２で入力する。これらの合計金額は入出金制御部１１に通知される。顧客Ｂは、顧客用表示部２４に表示された合計金額以上の金額を店員Ａに渡す。顧客Ｂから受け取った受取金は入出金口ユニット５を介して貨幣入出金ユニット４に格納され、その格納金額が入出金制御部１１に通知される。その後、入出金制御部１１は、格納金額が合計金額を超える場合、その差を釣銭として入出金口ユニット５から出金する。出金された釣銭は顧客Ｂに渡される。この精算処理内容は、出力部２６から印刷出力され、顧客Ｂに渡される。
【００３５】
なお、支払がカードである場合、カードリーダー２５で読み取った識別情報は制御部１０を介して銀行センターサーバ１００に接続される。そして、商品購入の合計金額分が銀行センターサーバ１００で引き落とされ、その結果が入出金制御部１１に通知される。この場合、貨幣入出金ユニット４による貨幣入出金処理は実行されない。
【００３６】
（現金支払処理）
現金エリアＥ２で現金支払処理を行う場合、顧客Ｃは、カードリーダー３２にカードを挿入して識別情報を読み取ってもらう。識別情報は、制御部１０、ネットワークＮを介して銀行センターサーバ１００に送信される。その後、顧客Ｃは、タッチパネル３１を介して暗証番号や支払金額を入力する。この認証処理や支払金額入力が終わると、入出金制御部１１は、貨幣入出金ユニット４から出金口ユニット６に支払金額を投出する。さらに、入出金制御部１１は、支払金額の投出が終わると、支払金額が支払われた旨を銀行センターサーバ１００に通知する。これによって、顧客Ｃの預貯金から支払金額が差し引かれる。
【００３７】
（入出金優先制御処理）
ここで、貨幣入出金ユニット４は、１つであるため、精算処理による貨幣入出金ユニット４の貨幣入出金処理と現金支払処理による貨幣入出金ユニット４の貨幣入出金処理とを同時に行うことはできない。
【００３８】
図５は、入出金優先制御部１２による入出金優先制御処理手順を示すフローチャートである。図３に示すように、入出金優先制御部１２は、まず、精算エリアＥ１と現金エリアＥ２とで貨幣入出金ユニット４に対する貨幣入出金処理が同時に発生したか否かを判断する（ステップＳ１０１）。貨幣入出金処理が同時に発生した場合（ステップＳ１０１，Ｙｅｓ）には、さらに、精算エリアＥ１での貨幣入出金処理が優先設定されているか否かを判断する（ステップＳ１０２）。一方、貨幣入出金処理が同時に発生していない場合（ステップＳ１０１，Ｎｏ）には、ステップＳ１０１の判断処理を繰り返す。
【００３９】
精算エリアＥ１での貨幣入出金処理が優先設定されている場合（ステップＳ１０２，Ｙｅｓ）には、精算エリアＥ１に対する貨幣入出金処理を実行する（ステップＳ１０３）。その後、現金エリアＥ２に対する貨幣入出金処理の待機案内処理を行う（ステップＳ１０４）。例えば、「しばらくお待ちください」等の案内表示を行う。
【００４０】
その後、入出金優先制御部１２は、精算エリアＥ１に対する貨幣入出金処理が終了したか否かを判断する（ステップＳ１０５）。精算エリアＥ１に対する貨幣入出金処理が終了した場合（ステップＳ１０５，Ｙｅｓ）には、現金エリアＥ２に対する貨幣入出金処理を実行し（ステップＳ１０６）、ステップＳ１０１に移行する。一方、精算エリアＥ１に対する貨幣入出金処理が終了していない場合（ステップＳ１０５，Ｎｏ）には、ステップＳ１０５の判断処理を繰り返す。
【００４１】
精算エリアＥ１での貨幣入出金処理が優先設定されていない場合（ステップＳ１０２，Ｎｏ）、すなわち現金エリアＥ２での貨幣入出金処理が優先設定されている場合には、現金エリアＥ２に対する貨幣入出金処理を実行する（ステップＳ１０７）。その後、精算エリアＥ１に対する貨幣入出金処理の待機案内処理を行う（ステップＳ１０８）。
【００４２】
その後、入出金優先制御部１２は、現金エリアＥ２に対する貨幣入出金処理が終了したか否かを判断する（ステップＳ１０９）。現金エリアＥ２に対する貨幣入出金処理が終了した場合（ステップＳ１０９，Ｙｅｓ）には、精算エリアＥ１に対する貨幣入出金処理を実行し（ステップＳ１１０）、ステップＳ１０１に移行する。一方、現金エリアＥ２に対する貨幣入出金処理が終了していない場合（ステップＳ１０９，Ｎｏ）には、ステップＳ１０９の判断処理を繰り返す。
【００４３】
これにより、精算エリアＥ１と現金エリアＥ２とで貨幣入出金ユニット４に対する貨幣入出金処理が同時に発生した場合であっても、予め設定された優先処理順序で処理される。この優先処理は、貨幣入出金ユニット４の実行に関するものであり、独立した入出力部７，８に対する処理は同時に行うことができる。結果として貨幣入出金ユニット４に対する貨幣入出金処理が同時に発生しても、その処理時間は長くないので、実質的に並行処理できる。
【００４４】
（現金自動預払機能）
ところで、上述した実施の形態では、現金エリアＥ２に現金支払部３を設けていたが、図６に示すように、現金支払部３に替えて、現金預払部３０を設けるようにしてもよい。すなわち、現金エリアＥ２の現金自動支払機（キャッシュディスペンサー）としての機能に替えて、現金自動預払機（ＡＴＭ機）としての機能を設けるようにしてもよい。このため、図６では、出金口ユニット６に替えて、入出金口ユニット７６を設けている。このような構成とすることによって、現金エリアＥ２で預金を行うこともできる。
【００４５】
なお、現金エリアＥ２の出金口ユニット６あるいは入出金口ユニット７６は、紙幣のみの入出金を行うようにしてもよい。この場合、硬貨入出金機５０には、現金エリアＥ２側に硬貨出金口５５が設けられない。
【００４６】
（現金支払部での釣銭支払処理）
また、精算エリアＥ１では、精算処理時に顧客Ｂに釣銭を渡していたが、釣銭に替えて釣銭シートを出力部２６から印刷出力し、この釣銭シートを顧客Ｂに渡すようにしてもよい。図６に示すように、現金エリアＥ２の入出力部８には、バーコードリーダー３４が設けられる。顧客Ｂは、釣銭シートの釣銭情報をバーコードリーダー３４によって読み取らせ、入出金口ユニット７６から釣銭を受け取るようにしてもよい。
【００４７】
これにより、精算処理時の釣銭処理時間が削減され、精算処理を行う顧客の待ち時間が少なくなる。
【符号の説明】
【００４８】
１  貨幣入出金装置
２  ＰＯＳレジスタ
３  現金支払部
４  貨幣入出金ユニット
４ａ  紙幣入出金ユニット
４ｂ  硬貨入出金ユニット
４ｃ  搬送路切換部
５，７６  入出金口ユニット
５ａ  紙幣入出金口ユニット
５ｂ  硬貨入出金口ユニット
６  出金口ユニット
６ａ  紙幣出金口ユニット
６ｂ  硬貨出金口ユニット
７，８ 入出力部
１０  制御部
１１  入出金制御部
１２  入出金優先制御部
２１，３４  バーコードリーダー
２２  入力部
２３  表示部
２４  顧客用表示部
２５，３２  カードリーダー
２６，３３  出力部
２７  レジカウンタ
３０  現金預払部
３１  タッチパネル
４０  紙幣入出金機
４１  紙幣投入口
４２，４５  紙幣出金口
４３  搬送路
４４  紙幣鑑別センサ
４６  紙幣収納庫
５０  硬貨入出金機
５１  硬貨投入口
５２，５５  硬貨出金口
５３  出金搬送部
６２  入金搬送部
６３  検銭部
６４  一時保留部
６５  硬貨振分部
６６  硬貨収納庫
６９  硬貨返却口
１００  銀行センターサーバ
Ｅ１  精算エリア
Ｅ２  現金エリア
Ｇ，Ｇ４１，Ｇ４２，Ｇ４３，Ｇ５１  切換ゲート
Ｎ  ネットワーク
Ｓ４１，Ｓ４２       画像センサ
【図１】
2018010556.tif 000003
【図２】
2018010556.tif 000004
【図３】
2018010556.tif 000005
【図４】
2018010556.tif 000006
【図５】
2018010556.tif 000007
【図６】
2018010556.tif 000008